【手続補正書】
【提出日】平成17年5月11日(2005.5.11)
【手続補正１】
【補正対象書類名】明細書
【補正対象項目名】発明の名称
【補正方法】変更
【補正の内容】
【発明の名称】コンクリートブロックの設置器具
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
上記の目的を達成するために、請求項１記載の発明は、コンクリートブロックの設置に用いられるコンクリートブロックの設置器具であって、水平部材と水平部材の両端又はその近傍から垂直方向に立ち上がる第１垂直部材及び第２垂直部材とからなるガイドレールと、ガイドレールの水平部材上のほぼ全面に配置し得る複数の硬球と、配置されたときの硬球の上に配置され、水平部材と対向するように位置し得る平板とを備えたものである。
【手続補正９】
【補正対象書類名】明細書
【補正対象項目名】００１８
【補正方法】変更
【補正の内容】
【００１８】
請求項２記載の発明は、請求項１記載の発明の構成において、ガイドレール及び平板は、鋼鉄製よりなり、硬球は球体又は鋼球よりなるものである。
【手続補正１０】
【補正対象書類名】明細書
【補正対象項目名】００２０
【補正方法】変更
【補正の内容】
【００２０】
請求項３記載の発明は、請求項１記載の発明の構成において、第１垂直部材の水平部材の上面からの高さは、硬球の直径に平板の厚さを加えた寸法より大きく設定され、第２垂直部材の水平部材の上面からの高さは、硬球の直径より大きく、且つ硬球の直径に平板の厚さを加えた寸法より小さく設定されるものである。
【手続補正１１】
【補正対象書類名】明細書
【補正対象項目名】００２２
【補正方法】変更
【補正の内容】
【００２２】
請求項４記載の発明は、請求項１記載の発明の構成において、第１垂直部材及び第２垂直部材の各々の水平部材の両面からの高さは、硬球の直径より大きく、且つ硬球の直径に平板の厚さを加えた寸法より小さく設定されるものである。
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】変更
【補正の内容】
【００２６】
請求項５記載の発明は、請求項１記載の発明の構成において、第１垂直部材及び第２垂直部材の各々の水平部材の上面からの高さは、硬球の直径より小さく設定されるものである。
【手続補正１５】
【補正対象書類名】明細書
【補正対象項目名】００２７
【補正方法】変更
【補正の内容】
【００２７】
このように構成すると、平板に対する幅方向の大きさの制限が緩和される。
請求項６記載の発明は、コンクリートブロックの設置に用いられるコンクリートブロックの設置器具であって、第１水平部材と第１水平部材の両端又はその近傍から垂直方向に立ち上がる第１垂直部材及び第２垂直部材とからなる第１ガイドレールと、第１ガイドレールの第１水平部材上のほぼ全面に配置し得る複数の硬球と、配置されたときの硬球の上に配置され、第１水平部材と対向するように位置し得る第２水平部材と第２水平部材の両端又はその近傍から垂直方向に立ち下がる第１立下り部材及び第２立下り部材とからなる第２ガードレールとを備え、第１垂直部材及び第２垂直部材の各々の水平部材の上面からの高さは、硬球の直径より小さく設定され、第１立下り部材及び第２立下り部材の各々は、第１垂直部材及び第２垂直部材の各々の外方に位置し、第１立下り部材及び第２立下り部材の各々の第２水平部材の下面からの寸法は、硬球の直径から高さを引いた寸法より大きく、且つ硬球の直径に第１水平部材の厚さを加えた寸法より小さく設定されるものである。
このように構成すると、第２ガードレールの幅方向への移動は、第１ガードレールによって規制される。
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】変更
【補正の内容】
【００３１】
請求項１記載の発明は、ガイドレール及び平板の各々に対してその面上での移動に対する抵抗が軽減するので、設置すべきコンクリートブロックと基礎コンクリートとの間にそのまま設置するだけでコンクリートブロックの水平方向への移動が容易となる。
【手続補正２０】
【補正対象書類名】明細書
【補正対象項目名】００３２
【補正方法】変更
【補正の内容】
【００３２】
請求項２記載の発明は、請求項１記載の発明の効果に加えて、ガイドレールに対する平板の移動がスムーズになるので、移動すべきコンクリートブロックの適用範囲が拡大する。
【手続補正２１】
【補正対象書類名】明細書
【補正対象項目名】００３３
【補正方法】変更
【補正の内容】
【００３３】
請求項３記載の発明は、請求項１記載の発明の効果に加えて、第１垂直部材及び第２垂直部材はガイド機能を発揮するため、コンクリートブロックの移動が振れることなく安定した状態で可能となるため使い勝手がよい。
【手続補正２２】
【補正対象書類名】明細書
【補正対象項目名】００３４
【補正方法】変更
【補正の内容】
【００３４】
請求項４記載の発明は、請求項１記載の発明の効果に加えて、第１垂直部材及び第２種直部材は平板の移動時のガイドとなるため、コンクリートブロックの移動が安定して行われるとともに、ガイドレールの設置位置がコンクリートブロックの下方であれば制約はないため使い勝手がよい。
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】変更
【補正の内容】
【００３６】
請求項５記載の発明は、請求項１記載の発明の効果に加えて、平板をガイドレールの大きさとは別に任意の大きさに設定できるため、コンクリートブロックの下面形状に合わせて適切に配置することができる。また、ガイドレールの設置位置はコンクリートブロックの下方であれば制約がない。そして特にコンクリートブロックを緩やかな曲線上に移動するような場合、より使い勝手が向上する。
請求項６記載の発明は、第２ガードレールの幅方向への移動は、第１ガードレールによって規制されるので、安定したコンクリートブロックの移動が可能となる。
【手続補正２５】
【補正対象書類名】特許請求の範囲
【補正対象項目名】全文
【補正方法】変更
【補正の内容】
【特許請求の範囲】
【請求項１】
コンクリートブロックの設置に用いられるコンクリートブロックの設置器具であって、
水平部材と前記水平部材の両端又はその近傍から垂直方向に立ち上がる第１垂直部材及び第２垂直部材とからなるガイドレールと、
前記ガイドレールの前記水平部上のほぼ全面に配置し得る複数の硬球と、
前記配置されたときの前記硬球の上に配置され、前記水平部材と対向するように位置し得る平板とを備えた、コンクリートブロックの設置器具。
【請求項２】
前記ガイドレール及び前記平板は鋼鉄製よりなり、前記硬球は球体又は鋼球よりなる、請求項１記載のコンクリートブロックの設置器具。
【請求項３】
前記第１垂直部材の前記水平部材の上面からの高さは、前記硬球の直径に前記平板の厚さを加えた寸法より大きく設定され、
前記第２垂直部材の前記水平部材の上面からの高さは、前記硬球の直径より大きく、且つ前記硬球の直径に前記平板の厚さを加えた寸法より小さく設定される、請求項１記載のコンクリートブロックの設置器具。
【請求項４】
前記第１垂直部材及び前記第２垂直部材の各々の前記水平部材の上面からの高さは、前記硬球の直径より大きく、且つ前記硬球の直径に前記平板の厚さを加えた寸法より小さく設定される、請求項１記載のコンクリートブロックの設置器具。
【請求項５】
前記第１垂直部材及び前記第２垂直部材の各々の前記水平部材の上面からの高さは、前記硬球の直径より小さく設定される、請求項１記載のコンクリートブロックの設置器具。
【請求項６】
コンクリートブロックの設置に用いられるコンクリートブロックの設置器具であって、
第１水平部材と前記第１水平部材の両端又はその近傍から垂直方向に立ち上がる第１垂直部材及び第２垂直部材とからなる第１ガイドレールと、
前記第１ガイドレールの前記第１水平部材上のほぼ全面に配置し得る複数の硬球と、
前記配置されたときの前記硬球の上に配置され、前記第１水平部材と対向するように位置し得る第２水平部材と前記第２水平部材の両端又はその近傍から垂直方向に立ち下がる第１立下り部材及び第２立下り部材とからなる第２ガードレールとを備え、
前記第１垂直部材及び前記第２垂直部材の各々の前記水平部材の上面からの高さは、前記硬球の直径より小さく設定され、
前記第１立下り部材及び第２立下り部材の各々は、前記第１垂直部材及び前記第２垂直部材の各々の外方に位置し、前記第１立下り部材及び第２立下り部材の各々の前記第２水平部材の下面からの寸法は、前記硬球の直径から前記高さを引いた寸法より大きく、且つ前記硬球の直径に前記第１水平部材の厚さを加えた寸法より小さく設定される、コンクリートブロックの設置器具。
【手続補正２６】
【補正対象書類名】図面
【補正対象項目名】図９
【補正方法】変更
【補正の内容】
【図９】
2004211549.tif 000001
【手続補正２７】
【補正対象書類名】図面
【補正対象項目名】図１０
【補正方法】変更
【補正の内容】
【図１０】
2004211549.tif 000002